(57)【要約】【課題】鍋蓋を有する鍋類を使い、調理中に取り外した鍋蓋に関する諸問題を解決する鍋類の蓋置き器具を提供する。【解決手段】  本発明は、立てた鍋蓋の下端を支持する蓋置き部と、前記蓋置き部に立てた鍋蓋が蓋置き部から落下するのを防止する落下防止部と、前記蓋置き部から延設されて蓋置き部に立てた鍋蓋の背の部分を支持する背部支持部と、前記背部支持部から落下防止部の反対方向に延設された連結部を備えた鍋蓋置き具と、上記鍋蓋置き具の連結部を鍋蓋置き具の前方方向に移動自在に支持するとともに上記鍋蓋置き具の連結部を鍋蓋置き具の高さ方向に移動自在に支持する連結手段と、上記連結手段が上面に設けられて鍋本体の取手に取り付ける取付手段とを少なくとも備えていることを特徴とする鍋類の蓋置き器具である。【選択図】図１
2012045344.tif 000002
【特許請求の範囲】
【請求項１】
立てた鍋蓋の下端を支持する蓋置き部と、前記蓋置き部に立てた鍋蓋が蓋置き部から落下するのを防止する落下防止部と、前記蓋置き部から延設されて蓋置き部に立てた鍋蓋の背の部分を支持する背部支持部と、前記背部支持部から落下防止部の反対方向に延設された連結部を備えた鍋蓋置き具と、上記鍋蓋置き具の連結部を鍋蓋置き具の前方方向に移動自在に支持するとともに上記鍋蓋置き具の連結部を鍋蓋置き具の高さ方向に移動自在に支持する連結手段と、上記連結手段が上面に設けられて鍋本体の取手に取り付ける取付手段とを少なくとも備えていることを特徴とする鍋類の蓋置き器具。
【請求項２】
鍋蓋置き具の連結部が摺動自在に挿入される挿入口を複数個形成しているとともに、連結部を取付手段に回動自在に取り付けていることを特徴とする請求項１記載の鍋類の蓋置き器具。
【請求項３】
取付手段は、ばねはさみからなっていることを特徴とする請求項１記載の鍋類の蓋置き器具。
【発明の詳細な説明】
【技術分野】
【０００１】  この発明は、鍋本体に設けられた取手に取り付けて最適な状態で使用することが可能な鍋類の蓋置き器具に関するものである。
【背景技術】
【０００２】  従来、鍋を使っての調理中に鍋本体より外した鍋蓋を鍋本体から離れた場所へ置く蓋置きはあった。しかし、このものにあっては、蓋置きが鍋本体から離れた場所にあるため鍋蓋を一方の手に持って調理をしようとすると、片手しか使えず作業性が悪かった。また、置いた蓋置きを探すことが度々発生するとともに、鍋蓋に付着した水滴の対策に時間を要したり、外した鍋蓋の置き場所により鍋本体との間に距離が生じるなど、調理の効率が悪くなるという問題点があった。【０００３】  このような問題点を解決すべく提案された特許文献１の鍋の蓋置き器具は、鍋本体の外側を保持する外側受け部と、鍋本体の内側を保持する内側受け部とを備え、外側受け部と内側受け部とで、鍋本体を挟むようになっているが、鍋蓋を乗せる部分が邪魔になるため、鍋本体に蓋をしているときは使用出来ないとともに、鍋本体が熱くなっているので取り付けるのが困難であり、使い勝手が良くないものであった。また、使う鍋本体の形状により使用できない鍋（例えば、フライパン）もあるという問題点があった。【０００４】  同様に、上記問題点を解決すべく提案された特許文献２の鍋本体の端に鍋蓋を立てて置くアベック鍋は、鍋本体の取手に金具を取り付けたものであり、取手を持ちにくく使い勝手が悪いという問題点があった。また、鍋本体の金具及び鍋蓋の金具は簡単に外れないため、全ての鍋本体、鍋蓋に金具を取り付ける必要があるという問題点があった。
【先行技術文献】
【特許文献】
【０００５】
【特許文献１】特開２００９−１６０３５４号公報
【特許文献２】実開平５−６８４３３号公報
【発明の概要】
【発明が解決しようとする課題】
【０００６】  本発明は、上記問題点に鑑みて発明されたものであって、鍋本体が熱くなっていても取付が可能であり、調理に使用しているフライパンを含む全ての鍋類の取手の形状及び鍋蓋の形状に関係なく使用可能であり、所有している全ての鍋本体、鍋蓋に金具を取り付ける必要が無く、鍋蓋に関する不便な点を一挙に解決する鍋類の蓋置き器具を提供することを課題とする。
【課題を解決するための手段】
【０００７】  上記課題を解決するために、本発明では、立てた鍋蓋の下端を支持する蓋置き部と、前記蓋置き部に立てた鍋蓋が蓋置き部から落下するのを防止する落下防止部と、前記蓋置き部から延設されて蓋置き部に立てた鍋蓋の背の部分を支持する背部支持部と、前記背部支持部から落下防止部の反対方向に延設された連結部を備えた鍋蓋置き具と、上記鍋蓋置き具の連結部を鍋蓋置き具の前方方向に移動自在に支持するとともに上記鍋蓋置き具の連結部を鍋蓋置き具の高さ方向に移動自在に支持する連結手段と、上記連結手段が上面に設けられて鍋本体の取手に取り付ける取付手段とを少なくとも備えていることを特徴とする鍋類の蓋置き器具を提供する。
【発明の効果】
【０００８】請求項１に係る発明は、上記課題を解決するための手段に記載された構成を備えていることを特徴とするものであるから、鍋本体が熱くなっていても鍋蓋置き具を簡単取り付けるのができ、使い勝手が良いという効果があり、更に、どのような鍋であっても、鍋蓋置き具を鍋本体の取手に簡単に取り付けることができるとともに、鍋蓋置き具に立てた鍋蓋の下端部を鍋本体の内側に位置させることが可能であり、水滴が鍋内に落下するので、掃除も必要なく使い勝手が良いという効果がある。【０００９】請求項２に係る発明は、鍋蓋置き具の連結部を鍋本体の取手に取り付ける取付手段に回動自在に取り付けていることを特徴とするものであるから、請求項１に係る発明の効果に加えて、片手持ちタイプの鍋において、連結手段を左方向に９０度廻せば右利き用となり、連結手段を右方向に９０度廻せば左利き用にすることができるという効果がある。【００１０】請求項３に係る発明は、鍋本体の取手に取り付ける取付手段は、ばねはさみからなっていることを特徴とするものであるから、請求項１に係る発明の効果に加えて、蓋置き器具を鍋本体の取手に簡単に取り付けることができるという効果がある。
【図面の簡単な説明】
【００１１】
【図１】図１は、本発明に係る鍋類の蓋置き器具の斜視図。
【図２】図２は、本発明に係る鍋類の蓋置き器具の分解斜視図。
【図３】図３は、本発明に係る鍋類の蓋置き器具の要部を断面した正面図。
【図４】図４は、本発明に係る鍋類の蓋置き器具の要部を断面した正面図。
【図５】図５は、本発明に係る鍋類の蓋置き器具の使用状態を示す斜視図で、片手持ち鍋での使用状態図。
【図６】図６は、本発明に係る鍋類の蓋置き器具の使用状態を示す斜視図で、両手持ち鍋での使用状態図。
【発明を実施するための形態】
【００１２】以下、本発明を添付図面に示す実施形態に基づいて説明する。
【実施例】
【００１３】図１は、本発明に係る鍋類の蓋置き器具の斜視図である。鍋蓋置き具１は、立てた鍋蓋２の下端を支持する蓋置き部３と、蓋置き部３に立てた鍋蓋２が蓋置き部３から落下するのを防止する落下防止部４と、蓋置き部３から延設されて蓋置き部３に立てた鍋蓋２の背の部分を支持する背部支持部５と、前記背部支持部５から落下防止部４の反対方向に延設された連結部６とを備えている。【００１４】鍋類の鍋蓋２は、使用する鍋本体Ａにより形状、大きさ、厚み、材質により重量が異なり、鍋蓋２に付いている摘みの形状も様々である。これらの鍋蓋の条件を満たし置き場所を広く取らずに置くには鍋蓋２を立て置きにすることである。【００１５】蓋置き部３と、落下防止部４と、背部支持部５とは、一本の金属棒を折曲げることにより一体的に形成されている。蓋置き部３の端縁には、落下防止部４が立設されており、所定間隔開けて略コ字状に形成された蓋置き部３から連結部６側に傾斜する背部支持部５が形成されている。背部支持部５の両端は、背部支持部５と同一平面上に落下防止部４側に傾斜せる傾斜部７が形成されており、その傾斜部７間に鍋蓋２の摘み部８が位置するようになっている。傾斜部７は、鍋蓋２の大きさ、形状、摘み部８の形状に関係なく置けるように中央部を低くしたＭ字型となっている。【００１６】蓋置き部３は、実施例では、前後幅を６センチメートルと広めに形成されており、鍋蓋２を安定して置くことが出来るように上面には複数の凹凸部９を形成している。蓋置き部３は、連結部６よりも平行に約１センチメートル低くなっており、蓋置き具１単体にて使用する場合、蓋置き部３の両端と連結部６の先端の３点にて安定した設置ができるようになっている。【００１７】落下防止部４は、蓋置き部３の先端に立設されており、端縁同士は連結片１０により、連結補強されているが、これに代えて、蓋置き部３の端縁同士は連結片１０により、連結補強されているものでも構わない。【００１８】背部支持部５は、実施例では、蓋置き部３から連結部６側に１０度傾斜して形成されており、鍋蓋２を安定して置くことが出来るようになっている。【００１９】連結部６は、合成樹脂材で断面Ｌ字状に形成されており、一端に傾斜部７の端部が夫々挿入固定されており、連結部６の下面は、鍋蓋置き具１が転倒しない平面形状が望ましい。【００２０】実施例では、蓋置き部３と落下防止部４と背部支持部５と傾斜部７連結片１０とを金属棒で一体的に形成し、連結部６を合成樹脂材で別体に形成したが、蓋置き部３と落下防止部４と背部支持部５と傾斜部７と連結片１０と連結部６とを合成樹脂材で一体的に形成しても構わない。【００２１】鍋蓋置き具１の連結部６が摺動自在に挿入される挿入口１１が連結手段１２に形成されている。連結部６と挿入口１１とは断面形状が同形状になっていて、適度な強さで摺動できる隙間が設けられている。挿入口１１は、断面長方形に形成されており、高さ方向に約１センチメートルの間隔を等間隔に開けて３個併設されている。【００２２】連結手段１２は、ばねはさみからなる取付手段１３の上面に回動自在に設けられている。連結手段１２の底面の中心にスリット１４により対となった脚片１５を設け、脚片１５を取付手段１３の６ミリメートル高くした取付面に形成した開口部１６に挿入されている。取付手段１３は、内部にバネが設けられた洗濯はさみのようなもので構成されていて、鍋本体Ａの取手Ｂに着脱自在に取り付けることができるようになっている。【００２３】連結手段１２の脚片１５は、連結手段１２を廻して連結部６を挿入する挿入口１１の入り口を変える時の支点となり、取付手段１３に付けた連結手段１２は下向き、平行対応より右に９０度廻せば片手持ち型左利き対応となり、左に９０度廻せば片手持ち型右利き対応となり、１８０度廻せば上向き対応の四通りの使い方ができる。【００２４】回動自在に取り付ける方法として、実施例では、連結手段１２の脚片１５を取付手段１３の開口部１６に挿入したが、連結手段１２からボルトを突出させ、取付手段１３の開口部１６にそのボルトを挿入し、ボルトの端部にナットを締め付けたものでも構わない。【００２５】実施例では、連結手段１２は、ばねはさみからなる取付手段１３の上面に回動自在に設けて、片手持ちタイプの鍋において、連結手段を左方向に９０度廻せば右利き用となり、連結手段を右方向に９０度廻せば左利き用にすることができるようにしているが、連結手段１２に形成した挿入口１１の開口方向に対し直交する方向に挿入口を形成し、その挿入口に選択して連結部６を挿入することで、片手持ちタイプの鍋において、右利き用と左利き用にすることができるようにしても構わない。【００２６】連結手段１２の底面は、取付手段１３の連結手段取付面１７と略同一幅の四角形に形成されており、蓋置き具１を使用する鍋本体Ａの側壁上端と、取付手段１３を取り付ける取手Ｂとの高さに合わせて連結部６を挿入する挿入口１１を選択する。挿入口１１が形成されている面は、連結手段１２の底面より上方へ向かうに従って幅が狭くなるように、挿入口１１の開口している側の両面は約１０度の角度に削られている。【００２７】鍋本体Ａの側壁に対し、取手Ｂは上向き、下向き、平行のいずれかで取り付けられている。挿入口１１の入口により、片方を上向き対応とし他方を下向き、平行対応とするため、連結手段１２の底面は、連結手段１２を貫通した挿入口１１の方向に約１５度の角度に削り、連結手段１２の最下部の挿入口１１の厚みにより厚い方は、図３に示すように下向き、平行対応側とし、薄い方は、図４に示すように上向き対応側として取手Ｂの付き方に合わせて挿入側を選択して挿入するようにしている。【００２８】取付手段１３に使用するばねは、使用する鍋に合わせて使う鍋蓋２の形状、大きさ、材質などにより重さも異なり、これらの重さに十分対応できるように強度の高い支軸を貫通させることが可能なばね２２を使用し、取付手段１３を組み立てるには、はさみ上下両側とばね２２を貫通する支軸１８を備えたばねはさみを使う。【００２９】取付手段１３の連結手段取付面１７は、図３に示すように取付手段１３の先端と支軸１８を結ぶ中心線に対し１０度の角度θを付けて形成されている。尚、取付手段１３は使用する時、指で摘む柄の部分の長さは取付手段１３が手軽に使える長さとする。【００３０】取付手段１３のはさみ口１９は、取付手段１３先端側に細長い小判形のはさみ口２０が形成されるとともに���奥側に小さな楕円形のはさみ口２１が形成されており、細長い小判形のはさみ口２０は、太い取手に使用し、小さな楕円形のはさみ口２１は細い金属製の２本となった取手や細くて丸いパイプ上の取手に使用するようになっており、これにより鍋類に付いている取手Ｂの様々な形状、太さなどに合わせて取り付けることができるようになる。尚、取付手段１３のはさみ口１９は、取手Ｂに取り付けた場合、取手Ｂとの余分な接点を省き安定した使用ができるように、又脚片１５の先端部の納まり具合も考慮してはさみ口１９より見て円弧状の形状に形成されている。【００３１】実施例のものは、挿入口１１を等間隔に３個併設したが、連結手段１２内に上端が連結手段１２から突出するボルトを収納し、そのボルトに移動子を上下動自在に螺着し、その移動子に連結部６を連結するようにしても構わない。このとき、移動子がスムーズに上下動するように移動子の両面をガイドするガイドを設け、連結手段１２から突出したボルトを回動することにより、連結部６を上下動させれば良い。【００３２】実施例のものは、取付手段１３をばねはさみで構成したが、上側のはさみに下側のはさみの下面から先端が突出するボルトを取り付け、そのボルトの先端に蝶ナットを取り付けて蝶ナットを締め付けることで取付手段１３を取手Ｂに取り付けりようにしても構わない。【００３３】実施例のものは、鍋本体Ａと取手Ｂの様々な形状に合わせて取手Ｂに取付手段１３を取り付けることで、鍋蓋置き具１に立てた鍋蓋２の下端部を鍋の内側に位置させることが可能となり調理時に鍋の中味を出し入れする時に外した鍋蓋が起因して生じる諸問題（置き場所の選択、付着した水滴対策、鍋本体Ａと置いた鍋蓋２との距離、片手に鍋蓋を持つと両手使用不可など不便な点）が解決し、取手Ｂを備えたどのような鍋にも使用ができ、片手持ちの鍋の場合、右利き、左利きの使用者にも対応し、調理中でも脱着が簡単にできるものであり、蓋置き部３を単体で使用すると、従来の使用方法もできるものである。【００３４】鍋類は使用目的により、形状、大きさなどにより種類は多く、多種、多様である。又、鍋類に設けられた取手Ｂも多種、多様である。更には、鍋類に設けられた鍋蓋２も多種、多様であるが、調理に使用しているフライパンを含む全ての鍋類の取手Ｂの形状及び鍋蓋２の形状に関係なく本発明の鍋類の蓋置き器具は、使用可能である。取手Ｂは、手で把持する部分の角度により上向き、下向き、平行の３タイプに大別できるが、鍋蓋置き具１の連結手段１２に形成した挿入口１１の入口の選択により挿入口１１の片方を上向き用、他方を下向きと平行の併用の挿入口としてこれに対応する。
【符号の説明】
【００３５】  Ａ  鍋本体
Ｂ  鍋取手
１  蓋置き器具
２  鍋蓋
３  蓋置き部
４  落下防止部
５  背部支持部
６  連結部
１２  連結手段
１３  取付手段
【図１】
2012045344.tif 000003
【図２】
2012045344.tif 000004
【図３】
2012045344.tif 000005
【図４】
2012045344.tif 000006
【図５】
2012045344.tif 000007
【図６】
2012045344.tif 000008